(57)【特許請求の範囲】
【請求項１】
架台上に載置されるベッド枠の背もたれ部枠を起立させるように前記架台の左右に起立自在に設けた左側背上げアームおよび、右側背上げアームと、この左側背上げアームおよび右側背上げアームを個別に起伏駆動する左側駆動手段および右側駆動手段とを備え、前記左側駆動手段と右側駆動手段の駆動距離が異なるように可変することにより前記左側背上げアームと右側背上げアームの起立角度を異ならしめ前記背もたれ部枠を左側または右側に傾ける構成とした背もたれ部の起伏装置。
【請求項２】
ベッド枠の背もたれ部枠を、左右に伸縮する伸縮手段を有した背もたれパイプで形成した請求項１記載の背もたれ部の起伏装置。
【請求項３】
ベッド枠に起立自在に設けられる背もたれ部枠の起立支点位置を変換して背もたれ部枠の露出長さを可変できる構成とした請求項１記載の背もたれ部の起伏装置。
【請求項４】
ベッド枠に起立自在に設けられる背もたれ部枠の反背もたれ部側となるベッド部分を巻取自在なシャッターで形成した請求項１記載の背もたれ部の起伏装置。
【請求項５】
背もたれ部枠のサイドフレームの端部に屈曲自在に設けられ下方部がベッド枠に回動自在に設けられる支点変換部材と、ベッド枠に設けたレールに摺動するベッド側スライド部材と、サイドフレームに設けられる前記支点変換部材をサイドフレームと直線状に保持するように設けたフレーム側スライド部材とを備え、前記ベッド側スライド部材およびフレーム側スライド部材のスライド操作により前記支点変換部材の起立する支点を可変する構成とした請求項１記載の背もたれ部の起伏装置。
【請求項６】
背もたれ部枠の左右のサイドフレームの起立する支点を異なる位置にして背もたれ部枠を左側または右側に傾ける構成とした請求項５記載の背もたれ部の起伏装置。
【請求項７】
背もたれ部枠の起立時にベッド枠との間に形成される空間を覆う蛇腹機能を有したカバーを前記ベッド枠と背もたれ部枠との間に設けた請求項１記載の背もたれ部の起伏装置。
【請求項８】
背もたれ部枠の頭部が対応する部分にサイドフレームに支持される頭部もたれ部枠を設け、前記頭部もたれ部枠を頭部起立手段で起立させる構成とした請求項１記載の背もたれ部の起伏装置。
【請求項９】
背もたれ部枠の左右のサイドフレームを自在継手を介してベッド枠に起立自在に設けた請求項１記載の背もたれ部の起伏装置。
【発明の詳細な説明】
【０００１】
【発明の属する技術分野】
本発明はベッドの背もたれ部の起立時に背もたれ部が左側または右側に向け傾けることのできる背もたれ部の起伏装置に関する。
【０００２】
【従来の技術】
従来、この種の背もたれ部の起伏装置の一例として特公平４−５６６１０号公報に記載されたものが知られていた。
【０００３】
以下、その背もたれ部の起伏装置の構成について図１８を参照しながら説明する。
【０００４】
図に示すように、背もたれ部保持用枠１０１に楕円弧状湾曲棒１０２を設け、楕円弧状湾曲棒１０２を駆動機構１０３により駆動させて背もたれ部保持用枠１０１を起立させていた。
【０００５】
【発明が解決しようとする課題】
このような従来の背もたれ部の起伏装置では、背もたれ部保持用枠１０１はベッド１０４の長手方向に向かい種々の角度に起立させるものであるため、背もたれ部を安眠しやすいように人体の上半身を左側または右側に傾けることができないという課題があった。
【０００６】
本発明は、上記課題を解決するもので、人体が個々に持っている寝やすい傾きをベッドに与え、快適な安眠を促進することのできる背もたれ部の起伏装置を提供することを目的としている。
【０００７】
【課題を解決するための手段】
本発明の背もたれ部の起伏装置は上記目的を達成するために、架台上に載置されるベッド枠の背もたれ部枠を起立させるように前記架台の左右に起立自在に設けた左側背上げアームおよび右側背上げアームと、この左側背上げアームおよび右側背上げアームを個別に起伏駆動する左側駆動手段および右側駆動手段とを備え、前記左側駆動手段と右側駆動手段の駆動距離が異なるように可変することにより前記左側背上げアームと右側背上げアームの起立角度を異ならしめ、前記背もたれ部枠を左側または右側に傾ける構成としたものである。
【０００８】
本発明によれば、人体が個々に持っている寝やすい傾きをベッドに与え、快適な安眠を促進することのできる背もたれ部の起伏装置を提供することができる。
【０００９】
【発明の実施の形態】
本発明は、架台上に載置されるベッド枠の背もたれ部枠を起立させるように前記架台の左右に起立自在に設けた左側背上げアームおよび右側背上げアームと、この左側背上げアームおよび右側背上げアームを個別に起伏駆動する左側駆動手段および右側駆動手段とを備え、前記左側駆動手段と右側駆動手段の駆動距離が異なるように可変することにより前記左側背上げアームと右側背上げアームの起立角度を異ならしめ前記背もたれ部枠を左側または右側に傾ける構成としたものであり、背もたれ部を左側または右側に傾けることができ、人体が個々にもっている寝やすい状態となり快適な安眠を促進することができるという作用を有する。
【００１０】
以下、本発明の実施例について図面を参照しながら説明する。
【００１１】
【実施例】
（実施例１）
図１〜図７に示すように、枠状の架台１の長手方向のほぼ中央部分に支持台２を設け、背もたれ部枠３と尻部枠４ともも部および膝部を含む足部枠５等を屈曲自在に連結し架台１上に載置されるベッド枠６の背もたれ部枠３を起立させるように架台１の左右に左側背上げアーム７および右側背上げアーム８を起立自在に設け、左側背上げアーム７は左側連結杆８を介し、支持台２に設けた左側取付部１０に揺動自在に取り付けられる正逆回転可能な左側モータ１１および、左側モータ１１により架台１の長手方向に進退自在に駆動される駆動軸１２よりなる左側駆動手段１３の左側駆動軸１２の端部に連結し、左側モータ１１の正回転または逆回転により左側駆動軸１２は架台１の長手方向に前後して左側連結杆９を介し左側背上げアーム７が起伏されるように設ける。
【００１２】
また、右側背上げアーム８は、右側連結杆１４を介し、支持台２に設けた右側取付部１５に揺動自在に取付けられる正逆回転可能な右側モータ１６および、右側モータ１６により架台１の長手方向に駆動される右側駆動軸１７よりなる右側駆動手段１８の右側駆動軸１７の端部に連結し、右側モータ１６の正回転または逆回転により右側駆動軸１７は架台１の長手方向に前後して右側連結杆１４を介し右側背上げアーム８が起伏されるように設け、左側背上げアーム７と右側背上げアーム８の端部にはローラ１９を設ける。
【００１３】
また、架台１に設けた支持材２０に起立自在に支持された一対の膝上げアーム２１が設けられ、支持材２０に設けた膝上げモータ２２により駆動される駆動軸２３に連結している。
【００１４】
そして、ベッド枠６の背もたれ部枠３は左右のサイドフレーム２４間に円筒状の背もたれパイプ２５を設けており、背もたれパイプ２５はサイドフレーム２４に取付けられる自在継手２６に連結したガイドピン２７が摺動自在に保持される保持体２８を端部に設け、ガイドピン２７には背もたれパイプ２５を自在継手２６側に復帰させるスプリング２９を設け伸縮手段３０を形成している。
【００１５】
上記構成において、背もたれ部枠３を起立させるときには制御装置（図示せず）等を介して左側モータ１１および右側モータ１６に同時に通電し正回転すると、左側駆動手段１３を介して左側背上げアーム７が起立するとともに右側駆動手段１８を介して右側背上げアーム８が起立してベッド枠６の背もたれ部枠３がともに設定角度に起立されることとなる。
【００１６】
そして、この状態で背もたれ部枠３を左側に傾けたいときには、左側駆動手段１３の左側モータ１１を逆回転させ左側背上げアーム７の起立角度ＱＡを右側背上げアーム８の起立角度ＱＢより小さくすることにより背もたれ部枠３を左側に傾けることができる。また、右側駆動手段１８の右側モータ１６を更に正回転させ左側背上げアーム７の起立角度ＱＡより右側背上げアーム８の起立角度ＱＢを大きくすることにより、背もたれ部枠３を左側に傾けることができる。
【００１７】
また、制御装置により、右側背上げアーム８の起立角度ＱＢに対し左側背上げアーム７の起立角度ＱＡを小さく設定したり、左側背上げアーム７の起立角度ＱＡに対し、右側背上げアーム８の起立角度ＱＢを大きく設定しておくことにより、背もたれ部枠３は左側に傾いた状態に起立させることができる。
【００１８】
また、背もたれ部枠３を右側に傾けたいときには、右側背上げアーム８の起立角度ＱＢを左側背上げアーム７の起立角度ＱＡより小さくすることにより背もたれ部枠３を右側に傾けることができる。
【００１９】
そして、背もたれ部枠３を左側または右側に向けて起立するときには、背もたれ部枠３の下方部は尻部枠４に連結し保持されているので、背もたれ部枠３のサイドフレーム２４の下端部間の距離Ｌ１は常に一定であるが、サイドフレーム２４の上端部間の距離Ｌ２は、背もたれ部枠３の左側または右側に傾く傾きに応じてサイドフレーム２４の下端部間の距離Ｌ１に対しサイドフレーム２４の上端部間の距離Ｌ２が大きくなる。このとき、背もたれ部枠３に設けた背もたれパイプ２５は伸縮手段３０により長さが調節されて背もたれ部枠３の右側または左側の傾きに対しこじれを生じることなく対応することができる。
【００２０】
このように本発明の実施例１の背もたれ部の起伏装置によれば、架台１の左右に起立自在に設けた左側背上げアーム７および右側背上げアーム８を個別に起伏駆動させる左側駆動手段１３および右側駆動手段１８を設けたので、左側背上げアーム７と右側背上げアーム８の起立角度を可変することができ、ベッド枠６の背もたれ部枠３を左側または右側に傾けて起立させることができ、各人がもっている寝やすい傾きをベッドに与え快適な安眠を促進することができる。
【００２１】
また、背もたれ部枠３を左右に設けられるサイドフレーム２４に伸縮手段３０を有した背もたれパイプ２５を設け、背もたれ部枠３を形成したので、背もたれ部枠３の左側または右側への傾きをスムーズに行うことができる。
【００２２】
（実施例２）
図８〜図１０に示すように、背もたれ部枠３Ａのサイドフレーム２４Ａが起伏自在に設けられるベッド枠６Ａに、サイドフレーム２４Ａの起立支点３１を可変するように所定の間隔をもって第１の支点孔３２と第２の支点孔３３および第３の支点孔３４を段階的に設け、サイドフレーム２４Ａには下方部近傍に第１の係合孔３５を設け、この第１の係合孔３５より所定の間隔をあけて第２の係合孔３６および第３の係合孔３７を段階的に設け、支点孔と係合孔に挿入保持されサイドフレーム２４Ａを起立自在に支持するピン等の支持部材３８を設ける。
【００２３】
そして、ベッド枠６Ａの反背もたれ部枠側の尻部および足部に対応する部分を形成するシャッター３９を足部側において長さを調節できるように巻取り自在に設ける。
【００２４】
上記構成において、座高の高い人に背もたれ部枠３Ａを対応させるときには、ベッド枠６Ａに設けた第１の支点孔３２にサイドフレーム２４Ａの第１の係合孔３５を係合し支持部材３８を挿入支持してサイドフレーム２４Ａの起立支点３１を形成し、背もたれ部枠３Ａの起立時には、ベッド枠６Ａより露出する寸法が一番長い状態（Ａ）に背もたれ部枠３Ａを起立させる。
【００２５】
また、座高の低い人に背もたれ部枠３Ａを対応させるときには、ベッド枠６Ａに設けた第３の支点孔３４にサイドフレーム２４Ａに設けた第３の係合孔３７を係合し、支持部材３８を挿入支持してサイドフレーム２４Ａの起立支点３１を移動した位置に起立支点３１Ａを形成し、背もたれ部枠３Ａの起立時にはベッド枠６Ａより露出する寸法が一番短い状態（Ｂ）に背もたれ部枠３Ａを起立させる。
【００２６】
このとき、起立支点３１が背もたれ部枠３Ａ側に移動することによりベッド枠６Ａの第１の支点孔３２から第３の支点孔３４間に空間ができるので、その空間を覆うように巻取自在に設けたシャッター３９を引き出して閉鎖する。
【００２７】
このように本発明の実施例２の背もたれ部の起伏装置によれば、ベッド枠６Ａに段階的に設けた支点孔と背もたれ部枠３Ａのサイドフレーム２４Ａに段階的に設けた係合孔との係合位置を変換することにより背もたれ部枠３Ａの起立支点３１が移動して変わり、ベッド枠６Ａから起立する背もたれ部枠３Ａの長さが人の座高に対応することができ、ベッドに寝ている人に違和感を与えることがなくなるとともに身体が所定の位置よりづれたりすることが防止できる。
【００２８】
また、サイドフレーム２４Ａの起立支点３１が移動したときにベッド枠６Ａに生じる空間をシャッター３９で覆うようにしたので、空間部分が形成されたことによる身体の落ち込み等による不安感を軽減することができる。
【００２９】
（実施例３）
図１１〜図１４に示すように、ベッド枠６Ｂに背もたれ部枠３Ｂのサイドフレーム２４Ｂの起立する支点附近のベッド枠６Ｂの長手方向にレール４０を設け、レール４０にはスライド自在で所定位置で係止できるベッド側スライド部材４１を設け、背もたれ部３Ｂのサイドフレーム２４Ｂは端部にチエン等の屈曲できる支点変換部材４２を設け、ベッド枠６Ｂより上方に露出する支点変換部材４２の屈曲を阻止できるようにサイドフレーム２４Ｂに摺動し係止されるフレーム側スライド部材４３を設け、サイドフレーム２４Ｂに設けた支点変換部材４２の端部は背もたれ部枠３Ｂのベッド枠６Ｂより露出する長さが一番長い状態で起立できるように反背もたれ枠側となるベッド枠６Ｂの支点４４に起立自在に支持する。
【００３０】
上記構成において、座高の高い人に背もたれ部枠３Ｂを対応させるときには、ベッド枠６Ｂに設けたレール４０に摺動するベッド側スライド部材４１を支点４４より反背もたれ部枠側に移動することにより背もたれ部枠３Ｂのサイドフレーム２４Ｂは支点変換部材４２を端部に有した状態でフレーム側スライド部材４３により支点変換部材４２の屈曲が阻止された直線状態となりベッド枠６Ｂより露出する部分が一番長い寸法〓２の状態となり座高の高い人の背もたれ部枠３Ｂを形成できる。
【００３１】
また、座高の低い人に背もたれ部枠３Ｂを対応させるときには、ベッド側スライド部材４１を背もたれ部枠３Ｂ側に移動し、背もたれ部枠３Ｂのサイドフレーム２４Ｂの起立する位置を支点４４から支点４５に移動するように、ベッド側スライド部材４１をレール４０上を摺動して移動し、背もたれ部枠３Ｂの起立時にはベッド枠６Ｂより露出する寸法が一番短い寸法〓１の状態に背もたれ部枠３Ｂを起立させる。
【００３２】
また、背もたれ部枠３Ｂの左右のサイドフレーム２４Ｂの一方のサイドフレーム２４Ｂの支点位置を他方のサイドフレーム２４Ｂの支点位置と異なる位置にすることにより、背もたれ部枠３Ｂを左方向または右方向に傾けることができる。
【００３３】
このように本発明の実施例３の背もたれ部の起伏装置によれば、背もたれ部枠３Ｂのサイドフレーム２４Ｂの端部に設けられる屈曲自在な支点変換部材４２と、ベッド枠６Ｂに設けたレール４０に摺動自在に設けられるベッド側スライド部材４１と、支点変換部材４２とサイドフレーム２４Ｂを直線状に支持するフレーム側スライド部材４３とを設け、支点変換部材４２の起立する支点を可変するので、ベッド側スライド部材４１とフレーム側スライド部材のスライド操作により背もたれ部枠３Ｂを座高の高い人または、座高の低い人に対応できるように高さを容易に調節することができる。
【００３４】
また、背もたれ部枠３Ｂのサイドフレーム２４Ｂの起立する支点を左右のサイドフレーム２４Ｂにおいて異なる位置とすることにより、背もたれ部枠３Ｂ自身を左側または右側に傾けることができる。
【００３５】
（実施例４）
図１５に示すように、ベッド枠６Ｃと起立時の背もたれ部枠３Ｃとの間に形成される空間を覆うように一方を背もたれ部枠３Ｃに係止し他方をベッド枠６Ｃに係止した蛇腹状のカバー４６を設ける。
【００３６】
上記構成において、ベッド枠６Ｃに設けた背もたれ部枠３Ｃを起立させたときには、ベッド枠６Ｃと背もたれ部枠３Ｃに係止した蛇腹状のカバー４６が開いてベッド枠６Ｃと背もたれ部枠３Ｃ間の空間を覆うこととなる。
【００３７】
そして、背もたれ部枠３Ｃを伏せた場合には、カバー４６は蛇腹状の機能により折り畳まれてベッド枠６Ｃ内に収納される。
【００３８】
このように本発明の実施例４の背もたれ部の起伏装置によれば、ベッド枠６Ｃと起立時の背もたれ部枠３Ｃ間に形成される空間を覆うように蛇腹状のカバー４６を設けたので、持物等がベッド枠６Ｃ内に落ち込むことが防止できる。
【００３９】
（実施例５）
図１６に示すように、背もたれ部枠３Ｄの頭部が置かれる部分のサイドフレーム２４Ｃに、下方部を支点に起立するように支持台４７を介して頭部もたれ部枠４８を起立自在に設け、頭部もたれ部枠４８の側板４９に、一端がサイドフレーム２４Ｃに取付けた取付板５０に回動自在に設けられた支持棒５１がスライド保持される保持部５２を取付部５３を介して回動自在に取付け頭部起立手段５４を形成する。
【００４０】
上記構成において、頭部もたれ部枠４８を起立させるときには、頭部もたれ部枠４８の上部側を上方に持ち上げることにより頭部もたれ部枠４８は支持台４７を介して起立される。このとき、頭部起立手段５４の支持棒５１は保持部５２にスライドし、起立位置において支持棒５１は保持部５２に保持され頭部もたれ部枠４８は起立状態に保持される。
【００４１】
また、頭部もたれ部枠４８を伏せたいときには、保持部５２の保持力に抗して頭部もたれ部枠４８の上方部を下方に押し下げることにより頭部もたれ部枠４８は伏せた状態となる。
【００４２】
このように本発明の実施例５の背もたれ部の起伏装置によれば、背もたれ部枠３Ｂに頭部もたれ部枠４８を設け、頭部起立手段を介して頭部もたれ部枠４８を起立できるようにしたので、頭部を少し持ち上げた自然体で寝ることができる。
【００４３】
（実施例６）
図１７に示すように、背もたれ部枠３Ｅの左右のサイドフレーム２４Ｄの下端部を自在継手５５を介してベッド枠６Ｄに起立自在に設ける構成とする。
【００４４】
上記構成において、左右のサイドフレーム２４Ｄの起立角度が、左側の起立角度Ｑ１に対し右側の起立角度Ｑ２を大きくして背もたれ部枠３Ｅを左側に片向ける場合、左右のサイドフレーム２４Ｄ間の下端部の距離〓１に対し、左右のサイドフレーム２４Ｄの上端部は斜めとなり、左右のサイドフレーム２４Ｄの上端部間の距離は大きくなろうとするが、左右のサイドフレームは自在継手５５を介しベッド枠６Ｄに設けられているため、起立角度の大きい右側のサイドフレーム２４Ｄは左側サイドフレーム２４Ｄの上端部を支点に、下端部側の距離〓１と同一寸法〓２の軌跡で動くこととなり左右のサイドフレーム２４Ｄ間に設けられる背もたれパイプ２５は一定の長さで良いこととなる。
【００４５】
このように本発明の実施例６の背もたれ部の起伏装置によれば、背もたれ部枠３Ｅにサイドフレーム２４Ｄを自在継手５５を介してベッド枠６Ｄに起立自在に設けているので、背もたれ部枠３Ｅを左側または右側に傾け起立するときに左右のサイドフレーム２４Ｄの起立角度を異なるようにしても、左右のサイドフレーム２４Ｄ間の上端部側の距離が斜めになることにより広がろうとすることが自在継手５５により抑制され、サイドフレーム２４Ｄは下端部側も上端部側も同一の間隔となり、背もたれ部枠３Ｅに設けられる背もたれパイプを伸縮自在なものにする必要がなくなり背もたれ部分の構造を簡略化することができる。
【００４６】
【発明の効果】
以上の実施例から明らかなように、本発明によれば架台上に載置されるベッド枠の背もたれ部枠を起立させるように前記架台の左右に起立自在に設けた左側背上げアームおよび右側背上げアームと、この左側背上げアームおよび右側背上げアームを個別に起伏駆動する左側駆動手段および右側駆動手段とを備え、前記左側駆動手段と右側駆動手段の駆動距離が異なるように可変することにより前記左側背上げアームと右側背上げアームの起立角度を異ならしめ前記背もたれ部枠を左側または右側に傾ける構成としたので人体が個々に持っている寝やすい傾きをベッドに与え、快適な安眠を促進できる背もたれ部の起伏装置を提供することができる。
【００４７】
また、ベッド枠の背もたれ部枠を、左右に伸縮する伸縮手段を有した背もたれパイプで形成したので、背もたれ部枠の左側または右側への傾きをスムーズに行うことができる。
【００４８】
また、ベッド枠に起立自在に設けられる背もたれ部枠の起立支点位置を変換して背もたれ部枠の露出長さを可変できる構成としたので、人の座高に対応することができ、寝ている人に違和感を与えることがなくなる。
【００４９】
また、ベッド枠に起立自在に設けられる背もたれ部枠の反背もたれ部側となるベッド部分を巻取自在なシャッターで形成したので、背もたれ部枠との間の空間をシャッターで覆うことができ、身体の落ち込み等による不安感を軽減できる。
【００５０】
また、背もたれ部枠のサイドフレームの端部に屈曲自在に設けられ下方部がベッド枠に回動自在に設けられる支点変換部と、ベッド枠に設けたレールに摺動するベッド側スライド部材と、サイドフレームに設けられる前記支点変換部材をサイドフレームと直線状に保持するように設けたフレーム側スライド部材とを備え、前記ベッド側スライド部材およびフレーム側スライド部材のスライド操作により前記支点変換部材の起立する支点を可変する構成としたので、スライド部材をスライドする簡単な操作で座高の高い人または低い人に容易に対応することができる。
【００５１】
また、背もたれ部枠の左右のサイドフレームの起立する支点を異なる位置にして背もたれ部枠を左側または右側に傾ける構成としたので背もたれ部枠自身を左側また右側に傾けることができる。
【００５２】
また、背もたれ部枠の起立時にベッド枠との間に形成される空間を覆う蛇腹機能を有したカバーを前記ベッド枠と背もたれ部枠との間に設けたので、持物等がベッド枠内に落ち込むことが防止できる。
【００５３】
また、背もたれ部枠の頭部が対応する部分にサイドフレームに支持される頭部もたれ部枠を設け、前記頭部もたれ部枠を頭部起立手段で起立させる構成としたので、頭部を少し持ち上げた自然体で寝ることができる。
【００５４】
また、背もたれ部枠の左右のサイドフレームを自在継手を介してベッド枠に起立自在に設けたので、背もたれ部枠に設けられる背もたれパイプを伸縮自在なものにする必要がなくなり背もたれ部分の構造を簡略化することができる。
【図面の簡単な説明】
【図１】本発明の実施例１の背もたれ部の起伏装置の架台の構成を示す斜視図
【図２】同背もたれ部の起伏装置のベッド枠の構成を示す斜視図
【図３】同背もたれ部の起伏装置のベッド枠を伏せたときの状態を示す側面図
【図４】同背もたれ部の起伏装置のベッド枠の起立時の状態を示す側面図
【図５】同背もたれ部の起伏装置の背もたれパイプ部分の構成を示す断面図
【図６】同背もたれ部の起伏装置の背上げアームの起立状態を示す概略斜視図
【図７】同背もたれ部の起伏装置のサイドフレームの起立状態を示す概略斜視図
【図８】本発明の実施例２の背もたれ部の起伏装置のベッド枠の構成を示す概略斜視図
【図９】同背もたれ部の起伏装置のベッド枠とサイドフレームの関係を示す分解図
【図１０】同背もたれ部の起伏装置の背もたれ部枠の起立支点を変えた状態を示す概略図
【図１１】本発明の実施例３の背もたれ部の起伏装置の背もたれ部を長くした状態を示す概略図
【図１２】同背もたれ部の起伏装置の背もたれ部を短くした状態を示す概略図
【図１３】同背もたれ部の起伏装置の起立支点を変えたときの状態を示す概略図
【図１４】同背もたれ部の起伏装置の左右のサイドフレームを異なる位置とした状態を示す概略図
【図１５】本発明の実施例４の背もたれ部の起伏装置の構成を示す部分拡大図
【図１６】本発明の実施例５の背もたれ部の起伏装置の構成を示す部分拡大斜視図
【図１７】本発明の実施例６の背もたれ部の起伏装置の背もたれ部枠の構成を示す斜視図
【図１８】従来の背もたれ部の起伏装置の構成を示す側面図
【符号の説明】
１      架台
３      背もたれ部枠
３Ａ    背もたれ部枠
３Ｂ    背もたれ部枠
３Ｃ    背もたれ部枠
３Ｄ    背もたれ部枠
３Ｅ    背もたれ部枠
６      ベッド枠
６Ａ    ベッド枠
６Ｂ    ベッド枠
６Ｃ  ベッド枠
６Ｄ  ベッド枠
７      左側背上げアーム
８      右側背上げアーム
１３    左側駆動手段
１８    右側駆動手段
２４Ｂ  サイドフレーム
２４Ｃ  サイドフレーム
２４Ｄ  サイドフレーム
２５    背もたれパイプ
３０    伸縮手段
３１    起立支点
３１Ａ  起立支点
３９    シャッター
４０    レール
４１    ベッド側スライド部材
４２    支点変換部材
４３    フレーム側スライド部材
４４    支点
４５    支点
４６    カバー
４８    頭部もたれ部枠
５４    頭部起立手段
５５    自在継手
【図１】
0003681917.tif 000002
【図２】
0003681917.tif 000003
【図３】
0003681917.tif 000004
【図４】
0003681917.tif 000005
【図５】
0003681917.tif 000006
【図６】
0003681917.tif 000007
【図７】
0003681917.tif 000008
【図８】
0003681917.tif 000009
【図９】
0003681917.tif 000010
【図１０】
0003681917.tif 000011
【図１１】
0003681917.tif 000012
【図１２】
0003681917.tif 000013
【図１３】
0003681917.tif 000014
【図１４】
0003681917.tif 000015
【図１５】
0003681917.tif 000016
【図１６】
0003681917.tif 000017
【図１７】
0003681917.tif 000018
【図１８】
0003681917.tif 000019